(57)【特許請求の範囲】
【請求項１】
縦長筒状胴部２より口頚部３を起立した容器体Ａと、口頚部３外周に周壁４内周下部を密嵌させて装着するとともに、周壁４の内周面下部より延設した内向きのフランジ５を介して上方へ案内筒６を起立させてなる支持体Ｂと、案内筒６内を上下摺動可能な支持筒７外面下部より外周離隔位置に起立する支柱８を周方向複数延設するとともに、上記フランジ５を液密に貫通して上方へ突出させた各支柱８の上面にリング板状の中蓋９を固着し、且つ、支持筒７上端に固定した塗布部10を案内筒６内に収納可能に起立させて上方付勢状態で上下動可能に設けた可動筆Ｃと、支持体周壁４外周に周壁16内周下部を嵌合係止させて着脱自在に装着させるとともに、頂壁17裏面より垂設した押圧筒18により中蓋９上面を押圧して可動筆Ｃを下方へ押し下げ係止させてなるキャップＤとを備え、可動筆Ｃの押し下げ係止状態で、キャップ頂壁17裏面より垂設した栓19を案内筒６上端開口に密嵌させて、塗布部10周囲に密閉室Ｘが形成される如く構成してなることを特徴とする化粧筆。
【発明の詳細な説明】
【０００１】
【発明の属する技術分野】
本発明は化粧筆に関する。
【０００２】
【従来の技術】
化粧筆の極一般的な構造として、縦長筒状の胴部上端より口頚部を起立させた容器体と、口頚部上端部に嵌着させた取り付け筒の上端に基端を固定して塗布部を上方へ突出させ、更に、取り付け筒及び塗布部を被覆して口頚部に着脱自在にキャップを装着したものが上げられる。
【０００３】
【発明が解決しようとする課題】
上記化粧筆では塗布部が乾燥し易いという欠点がある。従来の化粧筆もキャップを設けているため、それなりには塗布部の乾燥を押さえられるが、キャップはその周壁を単なる螺着により嵌合させる等、塗布部の乾燥防止を考慮した構造を備えておらず、いまだ不充分のところがある。
本発明は上記した点に鑑み、塗布部の乾燥を確実に防止でき、また、組み立ても容易に行えるとともに、取り扱い操作も簡単便利な優れた化粧筆を提案するものである。
【０００４】
【課題を解決するための手段】
本請求項１発明の化粧筆は、上記課題を解決するため、縦長筒状胴部２より口頚部３を起立した容器体Ａと、口頚部３外周に周壁４内周下部を密嵌させて装着するとともに、周壁４の内周面下部より延設した内向きのフランジ５を介して上方へ案内筒６を起立させてなる支持体Ｂと、案内筒６内を上下摺動可能な支持筒７外面下部より外周離隔位置に起立する支柱８を周方向複数延設するとともに、上記フランジ５を液密に貫通して上方へ突出させた各支柱８の上面にリング板状の中蓋９を固着し、且つ、支持筒７上端に固定した塗布部10を案内筒６内に収納可能に起立させて上方付勢状態で上下動可能に設けた可動筆Ｃと、支持体周壁４外周に周壁16内周下部を嵌合係止させて着脱自在に装着させるとともに、頂壁17裏面より垂設した押圧筒18により中蓋９上面を押圧して可動筆Ｃを下方へ押し下げ係止させてなるキャップＤとを備え、可動筆Ｃの押し下げ係止状態で、キャップ頂壁17裏面より垂設した栓19を案内筒６上端開口に密嵌させて、塗布部10周囲に密閉室Ｘが形成される如く構成してなることを特徴とする化粧筆として構成した。
【０００５】
【発明の実施の形態】
以下、本発明の実施例の形態を図面を参照して説明する。
本発明の化粧筆１は、容器体Ａと、支持体Ｂと、可動筆Ｃと、キャップＤとを備えている。
【０００６】
容器体Ａは、縦長筒状の胴部２上端縁より口頚部３を起立させて構成している。容器体Ａの胴部２は圧搾可能に構成することも可能であり、また、剛性を持たせて圧搾変形が困難な如く構成しても良く、収納液の種類，性質等により適宜選択すれば良い。
【０００７】
支持体Ｂは、容器体口頚部３外周に内周下部を密嵌させた周壁４の内周面下部より内方へフランジ５を延設するとともに、フランジ５内周縁より上方へ案内筒６を起立させて構成している。本実施例では、案内筒６の上端部を内方へ湾曲縮径させており、周壁４外周にはキャップＤを螺着させるための螺条を周設している。
【０００８】
可動筆Ｃは、案内筒６内に上下摺動可能に嵌合させた支持筒７外面下部より支持筒７外周離隔位置に起立する支柱８を周方向複数延設するとともに、支持体Ｂの上記フランジ５を液密に貫通して上方へ突出させた各支柱８の上面にリング板状の中蓋９を固着し、また、支持筒７上端に基端を固定した塗布部10を案内筒６内に収納可能に起立させて上方付勢状態で上下動可能に設けている。
【０００９】
本実施例に於いて支持筒７は、案内筒６内に略ピッタリ収納する上端外面が湾曲縮径した筒状をなし、内面上部には、塗布部10を支持するための係止突条11を突設している。また、各支柱８は、支持筒７下端縁より外方へ延設した外向きフランジ12外周縁部よりそれぞれ上方に起立させて構成しており、前後左右四本立設している。また、支持体Ｂのフランジ５上面にはリング板状で、エラストマー等より形成されたシール材13を密嵌させており、このシール材13の所定位置に穿設した透孔14を介して各支柱８を上方へ突設することにより、この部分の液密性を図っている。
【００１０】
中蓋９は、可動筆ＣをキャップＤにより押し下げる際の押圧面となるもので、各支柱８の上面に下面の当接部分を、接着，融着等の適宜固着手段により固着している。本実施例では、外方へ行くに従って下方へ湾曲下降する平面視リング状に構成しており、内周縁を案内筒６外面に、外周縁を支持体周壁４内面に、それぞれ上下動可能に嵌合させている。
【００１１】
塗布部10は、繊維を束ねたものや、多孔質材等により一体に形成したもの等、従来のこの種の化粧筆の塗布部として使用されているものであれば使用できる。本実施例では、繊維を束ねたものを使用しており、上記係止突条11上方の支持筒７内上端に下端を固定して塗布部10を上方へ起立させており、可動筆Ｃの押し下げ状態で、案内筒６内に収納可能な長さに起立させている。
また、可動筆Ｃを常時上方へ付勢させる手段として、中蓋９裏面とシール材13上面との間にコイルスプリング15を介在させている。
【００１２】
キャップＤは、支持体周壁４外周に周壁16内周下部を嵌合させて着脱自在に装着させるとともに、頂壁17裏面より垂設した押圧筒18により中蓋９上面を押圧して可動筆Ｃを下方へ押し下げ係止している。
【００１３】
本実施例では、支持体周壁４外周に周壁16内周下部を螺着させて上方への抜け出しを防止する如く嵌合係止させているが、突条相互の係合により上方への抜け出しを防止する如く構成しても良い。
本発明では、可動筆Ｃの押し下げ係止状態で、キャップ頂壁17裏面より垂設した栓19を案内筒６上端開口に密嵌させて、塗布部10周囲に密閉室Ｘが形成される如く構成している。
【００１４】
この密閉室Ｘを形成することにより、不使用時であるキャップＤ装着時に塗布部10周囲は比較的小スペースで密閉され、塗布部10が乾燥することを防止し、また、密閉室Ｘに液の漏出があっても外部への漏出を防止できる様に構成している。
【００１５】
上記の如く構成した化粧筆１を使用する場合には、まず、化粧筆１を正立させてキャップＤを外し、コイルスプリング15の上方付勢力により可動筆Ｃを上昇させるとともに、その塗布部10を案内筒６上端開口より突出させて使用する。
また、使用後は、押圧筒18により可動筆Ｃを押し下げつつキャップＤを装着する。この際、塗布部10の周囲には、密閉室Ｘが形成されて、塗布部10の乾燥を防止できるが、粘度の低い収納液を選択したり、通液性の良い塗布部を選択したりすることにより、化粧筆１を寝かせて或いは塗布部10を下にして立てかけて保管した際に、容器体内から支持筒７内を通り、塗布部10を介して液が密閉室Ｘ内に移行し、その場合には常時塗布部10が液と接触する状態となり、より確実に乾燥防止を図ることが出来る。密閉室Ｘに移行した液は、密閉室Ｘがその構造上比較的小スペースに構成できるため少量で、キャップを外すために正立させた際に塗布部10へ戻り、また、可動筆Ｃを上昇させる際に支持筒７内が若干負圧化することからも塗布部10内に戻り、使用に当たって垂れる虞は極めて少ない。
尚、上記各部材は合成樹脂等により形成すると良い。
【００１６】
【発明の効果】
以上説明した如く本発明化粧筆は、既述構成としたことにより、特に、可動筆Ｃの押し下げ係止状態で、キャップ頂壁17裏面より垂設した栓19を案内筒６上端開口に密嵌させて、塗布部10周囲に密閉室Ｘが形成される如く構成したので、塗布部10周囲の小スペースの密閉室Ｘ内には少量の空気しか存在しないため、塗布部の乾燥を極力防止でき、また、化粧筆を寝かせておくか塗布部を下にして立てかけておいた際に、塗布部10を介して密閉室内に液の移行があっても外部に漏出せず、この場合には、常時塗布部の周囲に液が存在して塗布部が乾燥するのをより確実に防止する。
【００１７】
また、密閉室Ｘはその構造上比較的小スペースに形成できるため、塗布部周囲に液が移行した場合も少量で、キャップを外すために正立させた際に塗布部へ戻り、また、可動筆が上昇する際に支持筒内が若干負圧化することによっても塗布部内へ戻り、その結果、キャップを外して使用する際に液が垂れる等の虞は極めて少なく、良好な収納液の塗布を行えるものである。
【００１８】
また、キャップを外せば自動的に可動筆Ｃが突出し、キャップを装着すれば自動的に可動筆を押し込み収納することが出来るため、使用上もすこぶる便利である。
【図面の簡単な説明】
【図１】本発明の一実施例を示す要部縦断面図である。
【図２】同実施例のキャップを外して塗布部を突出させた状態を示す要部縦断面図である。
【符号の説明】
Ａ…容器体，Ｂ…支持体，Ｃ…可動筆，Ｄ…キャップ，Ｘ…密閉室，
２…胴部，３…口頚部，４…支持体周壁，５…フランジ，６…案内筒，
７…支持筒，８…支柱，９…中蓋，10…塗布部，16…キャップ周壁，
17…キャップ頂壁，18…押圧筒，19…栓
【図１】
0003683694.tif 000002
【図２】
0003683694.tif 000003